【事件の表示】
　特願２０００−３０７０５８「パターン検索方法」拒絶査定不服審判事件〔平成１４年　４月１９日出願公開、特開２００２−１１７４０４〕について、次のとおり審決する。
【結　論】
　本件審判の請求は、成り立たない。
【理　由】
１　本願発明
　本願は、平成１２年１０月６日の出願であって、本願の請求項１ないし３に係る発明は、平成１７年２月１７日付けの手続補正により補正された明細書および図面の記載からみて、その請求項１ないし３にそれぞれ記載されたとおりのものと認められるところ、その請求項１に係る発明（以下、「本願発明」という）は次のとおりのものである。
「入力系から取り込まれる画像をコンピュータ内で検索窓を用いて観測画像を切り出し、該観測画像をバイナリアレイ光学素子の各チャンネルに合わせて光並列相関器の画像表示用液晶空間光変調器へ表示し、前記光並列相関器により演算し画像の類似度に比例した相関信号を生成させ、該相関信号の強度からどの参照画像が観測画像のどの位置にあるかを結果として出力する
とともに、空間並列度の向上のために、前記光並列相関器で使用する画像表示用液晶空間光変調器のピクセルピッチから開口サイズを決定し、光書き込み型液晶空間光変調器の有効受光面積からアレイ数を決定する前記バイナリアレイ光学素子の設計を行う
　
２　刊行物
　原審拒絶理由で引用された、「小舘香椎子，「光学素子を用いた並列顔認識システム」，映像情報，日本，産業開発機構株式会社，１９９７年　２月　１日，第２９巻，第３号，ｐ．１６−２１」（以下、「刊行物１」という）には次の事項が記載されている。
ア　「顔画像を用いた個人認識の研究は、（中略）画像処理を始め生理学、心理学の分野においても広く関心を集めてきている。特に、建物の入退室管理システムの自動化や重要設備の操作管理、ネットワークの発達に伴う情報の安全性の確保のための人物照合などに適応する、模倣、偽造の心配のないセキュリティ技術として、デジタル処理を中心として盛んに検討が進められている。（中略）
　そこで我々は登録者・未登録者の識別と個人同定を目的とする大規模データベースを想定した、図１に示すようなハイブリッド顔認識システムを考案した。入力顔画像を光相関器に送り込み、光の並列性と光速性を生かした認識処理を行い、前後のデジタル処理で正確性を加え、双方のメリットを生かしたシステムとなっている。」（１６頁右欄３頁目ないし１７頁左欄１頁目、図１）
イ　「２．１　実時間光並列相関器
　光学的なパターン認識法としては、耐振動性に優れ、装置が小型な図２に示すジョイント変換相関器（Ｊｏｉｎｔ　Ｔｒａｎｓｆｏｒｍ　ｃｏｒｒｅｌａｔｉｏｎ：ＪＴＣ）を用いた。２台の液晶空間光変調器により実時間処理を可能とし、バイナリ素子をアレイ化し、５チャンネルで並列・光速な光演算を行っている。一定な明るさ、距離でデジタルカメラにより撮影した正面平面顔を、図３のように髪型の影響を避けるために眉上から顎下で囲むように切り取りコンピュータに入力し、ＳＮ比の向上のためエッジ抽出して２値化する前処理を行う。
　さらに、同様の処理をしてデータベースに収められている参照顔画像と並べ、液晶空間光変調器（ＴＮＬ−ＳＬＭ）に電気的に書き込み、透過するＨｅ−Ｎｅレーザ光（中略）で読み出し、バイナリ素子でフーリエ変換する。この光強度をプライマリホログラムとして光書き込み型の液晶空間光変調器（ＰＡＬ−ＳＬＭ）に実時間で書き込み、分岐したもう１本のＨｅ−Ｎｅレーザ光により読み出す。さらにこの読み出し光を逆フーリエ変換し、２つの顔画像の類似性を示す相関信号をＣＣＤカメラからコンピュータに取り込み、光強度として検出する。（中略）今後、多チャネル化、デバイスの性能の向上、および光メモリの使用などにより一層の高速化が期待できる。」（１７頁左欄４行目ないし１８頁左欄１８行目、図２）
ウ　「２．２　空間光変調器
　（中略）提案するこの光並列相関器では、入力面に電気で書き込み、光の透過で読み出す高精細な電気アドレス型液晶空間光変調器ＴＮＬ−ＳＬＭを、またプライマリホログラム面に光で書き込み、反射光で読み出す光アドレス型のＰＡＬ−ＳＬＭを用い、実時間での光相関演算を可能とした。表１に２台の液晶デバイスの仕様を示すが、それぞれ高解像力と高効率で顔画像認識に必要十分な機能を持っている。」（１８頁左欄１９行目ないし３１行目）
エ　「２．３　バイナリアレイ素子
　フーリエ変換用素子として光並列演算に用いたバイナリアレイ素子は、小型、薄型、かつ設計の自由度があり、一体化しやすいなどの特徴を持つ回折光学素子である。（中略）
　本システムでは、初めての並列化の試みとして、組み合わせて使用する液晶（ＴＮＬ−ＳＬＭ）とＣＣＤカメラのピクセルのサイズを考慮に入れて、焦点距離を３００ｍｍ、画像の大きさと間隔（ＴＮＬ−ＳＬＭ上で１．８４×３．６８ｍｍ２と１．８４ｍｍ）から、開口を５ｍｍ、ＮＡ値を０．００８３３とした。今後、ＴＮＬ−ＳＬＭのピクセルサイズの高精細化と有効受光面の拡大などの性能向上により、チャネル数の十分な増加が可能である。図４の設計に基づき３枚のＥＢ描画マスクを用い、光リソグラフィとドライエッチングを繰り返して、８レベルのバイナリ素子を作製した。」（１８頁右欄３２行目ないし１９頁左欄１行目、図４）
オ　「３．１　識別評価実験
　図５に示すように、似た雰囲気を持つ２０歳前後の女性１００人の正面平常顔（ｃｏｄｅ＃１〜１００）をデータベースとして作成し、参照画像とした。同じ条件で、異なる日時に撮影した登録者（ｃｏｄｅ＃１〜１０）と未登録者（ｃｏｄｅ＃１０１〜１１０）を入力画像とし、登録者・未登録者の識別と本人の同定を行った。
　まず実時間光並列相関器を用いて演算を行い、図６に示すコリレーションマッピングを作成する。（中略）
　以上の結果を用い、識別評価を行った結果を図７に示すが、登録者と未登録者が０．１５〜０．４３の幅を持って識別されているので、例えばしきい値を０．４０とすると、認識率、未登録者の拒否率共に１００％と良好な結果を得ることができる。」（１９頁左欄６行目ないし右欄１２行目、図６，７）
　
３　本願発明と刊行物１に記載された発明（以下、「刊行物発明」という）との対比
（１）上記２アないしオによれば、刊行物発明は、
「建物の入退室管理システムの自動化や重要設備の操作管理、ネットワークの発達に伴う情報の安全性の確保のための人物照合などに適応するものである顔画像を用いた個人認識を行うハイブリッド顔認識システムであって、
　光学的なパターン認識法としては、ジョイント変換相関器（ＪＴＣ）を用い、２台の液晶空間光変調器により実時間処理を可能とし、バイナリ素子をアレイ化し、５チャンネルで並列・光速な光演算を行うものであり、
　一定な明るさ、距離でデジタルカメラにより撮影した正面平面顔を、コンピュータに入力し、ＳＮ比の向上のためエッジ抽出して２値化する前処理を行い、同様の処理をしてデータベースに収められている参照顔画像と並べ、液晶空間光変調器（ＴＮＬ−ＳＬＭ）に電気的に書き込み、透過するＨｅ−Ｎｅレーザ光で読み出し、バイナリ素子でフーリエ変換し、この光強度をプライマリホログラムとして光書き込み型の液晶空間光変調器（ＰＡＬ−ＳＬＭ）に実時間で書き込み、分岐したもう１本のＨｅ−Ｎｅレーザ光により読み出し、さらにこの読み出し光を逆フーリエ変換し、２つの顔画像の類似性を示す相関信号をＣＣＤカメラからコンピュータに取り込み、光強度として検出するものであって、
　光並列相関器では、入力面に電気で書き込み、光の透過で読み出す高精細な電気アドレス型液晶空間光変調器ＴＮＬ−ＳＬＭを、またプライマリホログラム面に光で書き込み、反射光で読み出す光アドレス型のＰＡＬ−ＳＬＭを用い、実時間での光相関演算を可能とし、
　フーリエ変換用素子として光並列演算に用いたバイナリアレイ素子は、回折光学素子であり、並列化として、組み合わせて使用する液晶（ＴＮＬ−ＳＬＭ）とＣＣＤカメラのピクセルのサイズを考慮に入れて、焦点距離、画像の大きさと間隔から、開口、ＮＡ値を決定し、ＴＮＬ−ＳＬＭのピクセルサイズの高精細化と有効受光面の拡大などの性能向上によりチャネル数の十分な増加が可能であり、
　参照画像をデータベースとして作成し、登録者と未登録者を入力画像とし、登録者・未登録者の識別と本人の同定を行うハイブリッド顔認識システム」
　であるところ、
　刊行物発明は、上記の如く参照画像のパターンと一致する入力画像を検索して同定することが具備されているから、本願発明でいう「パターン検索方法」の存在が認められ、バイナリアレイ光学素子の５チャンネルにあわせて液晶空間光変調器に表示されるもの（図２「Ｉｎｐｕｔ　ｐｌａｎｅ」、「Ｐｒｉｍａｒｙ　Ｈｏｌｏｇｒａｍ　ｐｌａｎｅ」、図４の「バイナリアレイ素子の設計図」参照）といえるから、本願発明でいう「観測画像をバイナリアレイ光学素子の各チャンネルに合わせて光並列相関器の画像表示用液晶空間光変調器へ表示」する点の存在が認められ、液晶空間光変調器に書き込み、分岐したもう１本のＨｅ−Ｎｅレーザ光により読み出し、さらにこの読み出し光を逆フーリエ変換し、２つの顔画像の類似性を示す相関信号をＣＣＤカメラからコンピュータに取り込み、光強度として検出するものであるから、本願発明でいう「光並列相関器により演算し画像の類似度に比例した相関信号を生成させ」の存在が認められる。
（２）したがって、両者は、「観測画像をバイナリアレイ光学素子の各チャンネルに合わせて光並列相関器の画像表示用液晶空間光変調器へ表示し、前記光並列相関器により演算し画像の類似度に比例した相関信号を生成させるパターン検索方法。」である点で一致し、次の点で相違しているものと認められる。
ア　本願発明は、「入力系から取り込まれる画像をコンピュータ内で検索窓を用いて観測画像を切り出」し、「該相関信号の強度からどの参照画像が観測画像のどの位置にあるかを結果として出力する」のに対し、刊行物発明は、画像を入力系から取り込み参照画像との一致を検出（同定）するものである点
イ　本願発明は、「空間並列度の向上のために、前記光並列相関器で使用する画像表示用液晶空間光変調器のピクセルピッチから開口サイズを決定し、光書き込み型液晶空間光変調器の有効受光面積からアレイ数を決定する前記バイナリアレイ光学素子の設計を行う」のに対し、刊行物発明は、その点が明確でない点
　　
４　相違点についての検討
　相違点アについて
　刊行物発明においては、登録者（ｃｏｄｅ＃１〜１０）等の入力画像がそれぞれ別体であるところ、入力画像として比較対象を複数含むものとし、含まれた画像それぞれと参照画像を画像の大きさ等を同条件にして比較することは、例えば人物照合、文字認識等のパターン認識の分野において常套技術にすぎない。そして、このような場合において、同定した、すなわち、一致度が高い画像を特定するために、その位置を出力するようにすることも普通のことにすぎないから、「入力系から取り込まれる画像をコンピュータ内で検索窓を用いて観測画像を切り出」し、「該相関信号の強度からどの参照画像が観測画像のどの位置にあるかを結果として出力する」ことは、当業者にとって容易に推考できたものといえる。
　相違点イについて
　上記２エによれば、刊行物発明は、フーリエ変換用素子として光並列演算に用いたバイナリアレイ素子は、小型、薄型、かつ設計の自由度があり、一体化しやすいなどの特徴を持つ回折光学素子であって、並列化を目途として、組み合わせて使用する液晶（ＴＮＬ−ＳＬＭ）とＣＣＤカメラのピクセルのサイズを考慮に入れて、焦点距離、画像の大きさと間隔から、開口、ＮＡ値を決定する点、及び、ＴＮＬ−ＳＬＭのピクセルサイズの高精細化と有効受光面の拡大などの性能向上により、チャネル数の十分な増加が可能である点が記載されており、並列度の向上を目途として、バイナリアレイ光学素子等の設計値が決定されていくことが示唆されているのであるから、「空間並列度の向上のために、前記光並列相関器で使用する画像表示用液晶空間光変調器のピクセルピッチから開口サイズを決定し、光書き込み型液晶空間光変調器の有効受光面積からアレイ数を決定する前記バイナリアレイ光学素子の設計を行う」ことは設計的事項であって、適宜なしうるものといえる。
　
　そして、これら相違点を総合的に考慮しても当業者が推考し難い格別のものであるとすることはできず、また本願発明の効果についてみても、上記構成の採用に伴って当然に予測される程度のものにすぎず、格別顕著なものがあるともいえない。　
　
５　むすび
　したがって、本願発明は、刊行物発明及び常套技術に基いて当業者が容易に発明をすることができたものであるので、他の請求項に係る発明について検討するまでもなく、本願は、特許法第２９条第２項の規定により特許を受けることができない。
　よって、結論のとおり審決する。